(57)【要約】【課題】パネルの構造の複合化を要することなく、当該パネルを利用して照明用光源からの光が基板に沿って横方向に拡がることを解消することが可能な表示装置を提供することである。【解決手段】表示装置に、表示面を有するパネルと、前記パネルの表示面上に配設される第１の照明対象体と、前記パネルを挟んでその表示面と反対の側に配置される回路基板と、前記回路基板上に実装され、前記第１の照明対象体を照明する第１の照明用光源とを備え、前記パネルは、前記表示面を有するパネル本体と、このパネル本体の裏側で前記回路基板に対して略直交する姿勢で設けられ、かつ、前記回路基板の表面に対して隙間をおいて対向する端面を有し、前記第１の照明用光源からの光を遮る第１遮光壁と、前記第１遮光壁の前記第１の照明用光源と対向する側と反対側に、前記第１遮光壁と間隙をおいて設けられる第２遮光壁とを有する。【選択図】図２
2011090115.tif 000002
【特許請求の範囲】
【請求項１】
表示面を有するパネルと、
前記パネルの表示面上に配設される第１の照明対象体と、
前記パネルを挟んでその表示面と反対の側に配置される回路基板と、
前記回路基板上に実装され、前記第１の照明対象体を照明する第１の照明用光源とを備え、
前記パネルは、前記表示面を有するパネル本体と、このパネル本体の裏側で前記回路基板に対して略直交する姿勢で設けられ、かつ、前記回路基板の表面に対して隙間をおいて対向する端面を有し、前記第１の照明用光源からの光を遮る第１遮光壁と、前記第１遮光壁の前記第１の照明用光源と対向する側と反対側に、前記第１遮光壁と間隙をおいて設けられる第２遮光壁とを有し、この第２遮光壁は、前記第１遮光壁の端面と前記回路基板の表面との隙間の近傍において当該回路基板の表面で反射することにより当該隙間を通じて前記第１遮光壁の外側に漏れ出た光を遮って、前記第２遮光壁の外側に漏れるのを阻止するように配置されることを特徴とする表示装置。
【請求項２】
請求項１記載の表示装置において、
前記パネルの表示面上に、前記第１の照明対象体と並ぶようにさらに配設される第２の照明対象体と、
前記回路基板上にさらに実装され、前記第２の照明対象体を照明する第２の照明用光源とをさらに備え、
前記第２遮光壁は、前記第１遮光壁と前記第２の照明用光源との間に介在し、前記第１遮光壁の端面と前記回路基板の表面との隙間の近傍において当該回路基板の表面で反射することにより当該隙間を通じて前記第１遮光壁の外側に漏れ出た光が前記第２の照明用光源側に侵入するのを阻止することを特徴とする表示装置。
【請求項３】
請求項１または２記載の表示装置において、
前記第１の照明対象体は、前記パネルの表示面側から押圧操作を受けることによりその押圧操作方向に移動することが可能となるように前記パネルに保持される押圧操作部材に組込まれ、
前記第２遮光壁の少なくとも一部は、前記押圧操作部材を前記押圧操作方向に案内する案内壁を兼ねることを特徴とする表示装置。
【請求項４】
請求項１〜３のいずれかに記載の表示装置において、
前記パネルは、さらに、前記第１遮光壁と前記第２遮光壁との間隙を前記パネル本体側から塞ぐことにより当該間隙から当該パネル本体側に前記第１の照明用光源からの光が漏れるのを阻止する第３遮光壁を有することを特徴とする表示装置。
【請求項５】
請求項１〜４のいずれかに記載の表示装置において、
前記第１遮光壁は前記第１の照明用光源を囲む筒状をなし、前記第２遮光壁は前記第１遮光壁を囲む筒状をなすことを特徴とする表示装置。
【請求項６】
表示面を有するパネルと、
前記パネルの表示面上に配設される第１の照明対象体と、
前記パネルを挟んでその表示面と反対の側に配置される回路基板と、
前記回路基板上に実装され、前記第１の照明対象体を照明する第１の照明用光源とを備え、
前記パネルは、前記表示面を有するパネル本体と、このパネル本体の裏側に設けられた遮光壁とを有し、この遮光壁は、前記パネル本体から前記回路基板に対して略直交する方向に前記回路基板の表面の手前側の位置まで延び、前記第１の照明用光源を遮る第１遮光板と、この第１遮光板から前記回路基板の表面と略平行な方向に延び、この回路基板の表面との間に当該回路基板の表面に沿って広がる隙間を形成して、前記遮光壁の外側へ光が漏れるのを阻止する第２遮光板とを有することを特徴とする表示装置。
【請求項７】
請求項６記載の表示装置において、
前記パネルの表示面上に、前記第１の照明対象体と並ぶようにさらに配設される第２の照明対象体と、
前記回路基板上にさらに実装され、前記第２の照明対象体を照明する第２の照明用光源とをさらに備え、
前記遮光壁は、第１遮光壁と前記第２の照明用光源との間に介在することを特徴とする表示装置。
【請求項８】
請求項６または７記載の表示装置において、
前記第１遮光板は、前記第１の照明用光源を囲む筒状をなすことを特徴とする表示装置。
【発明の詳細な説明】
【技術分野】
【０００１】
本発明は、車両の車室内等に設けられる表示装置に関するものである。
【背景技術】
【０００２】
自動車のオーディオ操作パネルやエアコン操作パネル等には、夜間にその操作部位や表示内容を明確にするための照明機能が与えられる。このような照明のために、インジケータレンズ等の照明対象体がパネルに設けられる一方、当該パネルの裏側に、ＬＥＤ等の照明用光源が実装された回路基板が配置される表示装置が用いられている。この表示装置において、照明を適切に機能させるためには、照明用光源からの光が照明対象体のみに入射することが好ましい。照明用光源からの光が基板に沿って横方向に拡がると、適切な照明が阻害されるおそれがある。
【０００３】
例えば、照明対象体に隣接する位置に他の照明対象体がある場合、照明用光源から横方向に漏れた光が、該他の照明対象体の照明に影響を与えるおそれがある。
【０００４】
あるいは、押圧操作されるノブがパネルに組み付けられている場合には、該ノブの周囲の隙間から光が漏れるおそれもある。
【０００５】
そこで、従来は、例えば図９に示すような遮光壁９０をパネル側に一体に成形し、この遮光壁９０を回路基板９４上の第１の照明用光源９１と第２の照明用光源９２との間に介在させる技術が知られている。この技術では、遮光壁９０の端面９０ａと前記回路基板９４の表面とがちょうど接触するように当該遮光壁９０の形状を設定するのが理想であるが、このような設定をした場合、前記パネルと前記回路基板９４との間の相対位置のばらつきにより前記遮光壁９０が前記回路基板９４に突き当たってしまって組付けが不能となるおそれがある。従って、現実には図９に示すように遮光壁９０の端面９０ａと回路基板９４の表面との間に隙間９６を置かざるを得ず、この隙間９６を通じて前記第１の照明用光源９１からの光が前記遮光壁９０の外側に漏れる場合がある。
【０００６】
例えば、前記照明用光源９１、９２が、それぞれ、ＬＥＤ（発光ダイオード）からなる光源本体９１ａ，９２ａと、その発する光に色を与えるためのラバー等からなるキャップ９７，９８とからなり、これらのキャップ９７，９８が前記光源本体９１ａ，９２ａの発光面上に被着されるような場合、当該キャップ９７、９８は、それぞれ、前記光源本体９１ａ、９２ａからの光を拡散させる作用もあるため、前記第１の照明用光源９１の光源本体９１ａからの光のうち回路基板９４の表面側に拡散した光が前記隙間９６側に入射してこの隙間９６内または当該隙間９６の近傍の領域で前記回路基板９４の表面上で反射されることにより、当該第１の照明用光源９１からの光が前記遮光壁９０の外側に漏れるおそれがある。
【０００７】
このような不都合を解決するための手段として、例えば特許文献１の第１図には、パネル側に当該パネルの本体の材料よりも弾性変形しやすい材料からなる遮光壁を付加し、この遮光壁を弾性変形させながら回路基板の表面に密着させることにより、前記隙間をなくす技術が開示されている。この技術によれば、前記パネルと前記回路基板との相対位置のばらつきが前記遮光壁の弾性変形によって吸収される。
【先行技術文献】
【特許文献】
【０００８】
【特許文献１】特開平１０−４９０８４号公報
【発明の概要】
【発明が解決しようとする課題】
【０００９】
前記特許文献１の第１図に開示されるパネルは、パネル本体と、その構成材料とは別の弾性材からなる遮光壁とを組み合わせた複合体であるため、当該パネル全体の構造が複雑となり、生産性が低下するという不都合がある。その一方、パネル全体にはある程度の剛性が要求されるため、当該パネル全体を弾性変形しやすい材料で構成することは困難である。
【００１０】
本発明は、このような事情に鑑み、パネルに特別な弾性部材等を付加することなく、このパネルを利用して、照明用光源からの光が基板に沿って横方向に拡がることを解消することが可能な表示装置を提供することを目的とする。
【課題を解決するための手段】
【００１１】
本発明者は、種々検討した結果、上記目的は、以下の本発明により達成されることを見出した。すなわち、本発明に係る表示装置は、表示面を有するパネルと、前記パネルの表示面上に配設される第１の照明対象体と、前記パネルを挟んでその表示面と反対の側に配置される回路基板と、前記回路基板上に実装され、前記第１の照明対象体を照明する第１の照明用光源とを備え、前記パネルは、前記表示面を有するパネル本体と、このパネル本体の裏側で前記回路基板に対して略直交する姿勢で設けられ、かつ、前記回路基板の表面に対して隙間をおいて対向する端面を有し、前記第１の照明用光源からの光を遮る第１遮光壁と、前記第１遮光壁の前記第１の照明用光源と対向する側と反対側に、前記第１遮光壁と間隙をおいて設けられる第２遮光壁とを有し、この第２遮光壁は、前記第１遮光壁の端面と前記回路基板の表面との隙間の近傍において当該回路基板の表面で反射することにより当該隙間を通じて前記第１遮光壁の外側に漏れ出た光を遮って、前記第２遮光壁の外側に漏れるのを阻止するように配置されることを特徴とする。
【００１２】
このような構成の表示装置によれば、第１の照明用光源から発せられる光が回路基板の表面と第１遮光壁との隙間の近傍において当該回路基板の表面で反射して当該第１遮光壁の外側に漏れても、第２遮光壁が、当該光を遮って、前記第２遮光壁の外側に漏れるのを阻止する。従って、パネルにその本体部分の材料とは別の弾性材料からなる遮光壁を付加しなくても、当該パネルを利用して、第１の照明用光源からの光が基板に沿って横方向へ拡がること、すなわち、第１の照明用光源から前記第２遮光壁の外側への光の漏れをより確実に防ぐことができる。
【００１３】
また、上述の表示装置において、前記パネルの表示面上に、前記第１の照明対象体と並ぶようにさらに配設される第２の照明対象体と、前記回路基板上にさらに実装され、前記第２の照明対象体を照明する第２の照明用光源とをさらに備え、前記第２遮光壁は、前記第１遮光壁と前記第２の照明用光源との間に介在し、前記第１遮光壁の端面と前記回路基板の表面との隙間の近傍において当該回路基板の表面で反射することにより当該隙間を通じて前記第１遮光壁の外側に漏れ出た光が前記第２の照明用光源側に侵入するのを阻止することを特徴とする。
【００１４】
このような構成の表示装置によれば、第１の照明用光源から発せられる光が回路基板の表面と第１遮光壁との隙間の近傍において当該回路基板の表面で反射して当該第１遮光壁の外側に漏れても、この光が第２の照明用光源側に到達することが、この第２の照明用光源と前記第１遮光壁との間に介在する第２遮光壁によって阻止される。従って、パネルにその本体部分の材料とは別の弾性材料からなる遮光壁を付加しなくても、当該パネルを利用して第１の照明用光源から第２の照明用光源側への光の漏れをより確実に防ぐことができる。
【００１５】
さらに、これら上述の表示装置において、前記第１の照明対象体は、前記パネルの表示面側から押圧操作を受けることによりその押圧操作方向に移動することが可能となるように前記パネルに保持される押圧操作部材に組込まれ、前記第２遮光壁の少なくとも一部は、前記押圧操作部材を前記押圧操作方向に案内する案内壁を兼ねることを特徴とする。
【００１６】
このような構成によれば、第１遮光壁の外側に位置する第２遮光壁を、両照明対象体が組み込まれた押圧操作部材の案内壁として利用することにより、構造の簡素化を図ることができる。
【００１７】
さらに、これら上述の表示装置において、前記パネルは、さらに、前記第１遮光壁と前記第２遮光壁との間隙を前記パネル本体側から塞ぐことにより当該間隙から当該パネル本体側に前記第１の照明用光源からの光が漏れるのを阻止する第３遮光壁を有することを特徴とする。
【００１８】
このような構成によれば、前記第１の照明用光源から発せられた光が前記第１遮光壁と前記第２遮光壁との間隙からパネル本体側に抜けるのも阻止することができ、これにより、第１の照明用光源からの光の漏れの防止をより確実にすることができる。
【００１９】
さらに、これら上述の表示装置において、前記第１遮光壁は前記第１の照明用光源を囲む筒状をなし、前記第２遮光壁は前記第１遮光壁を囲む筒状をなすことを特徴とする。
【００２０】
このような構成によれば、第１の照明用光源からの光の漏れの防止をその全周にわたって確実にすることができる。
【００２１】
本発明に係る表示装置は、表示面を有するパネルと、前記パネルの表示面上に配設される第１の照明対象体と、前記パネルを挟んでその表示面と反対の側に配置される回路基板と、前記回路基板上に実装され、前記第１の照明対象体を照明する第１の照明用光源とを備え、前記パネルは、前記表示面を有するパネル本体と、このパネル本体の裏側に設けられた遮光壁とを有し、この遮光壁は、前記パネル本体から前記回路基板に対して略直交する方向に前記回路基板の表面の手前側の位置まで延び、前記第１の照明用光源を遮る第１遮光板と、この第１遮光板から前記回路基板の表面と略平行な方向に延び、この回路基板の表面との間に当該回路基板の表面に沿って広がる隙間を形成して、前記遮光壁の外側へ光が漏れるのを阻止する第２遮光板とを有することを特徴とする。
【００２２】
このような構成によれば、遮光壁の第２遮光板と回路基板の表面との間に当該回路基板の表面に沿って広がる隙間が形成されるため、この隙間内に第１の照明用光源から発せられる光が進入しても当該隙間内で前記回路基板の表面と前記第２遮光板との間で繰返し乱反射することにより吸収される。従って、前記第１の照明用光源から遮光壁の外側への光の漏れが有効に抑止される。
【００２３】
また、上述の表示装置において、前記パネルの表示面上に、前記第１の照明対象体と並ぶようにさらに配設される第２の照明対象体と、前記回路基板上にさらに実装され、前記第２の照明対象体を照明する第２の照明用光源とをさらに備え、前記遮光壁は、第１遮光壁と前記第２の照明用光源との間に介在することを特徴とする。
【００２４】
このような構成によれば、遮光壁の第２遮光板と回路基板の表面との間に当該回路基板の表面に沿って広がる隙間が形成されるため、この隙間内に第１の照明用光源から発せられる光が進入しても当該隙間内で前記回路基板の表面と前記第２遮光板との間で繰返し乱反射することにより吸収される。従って、この遮光壁から第２の照明用光源側への光の漏れが有効に抑止される。
【００２５】
さらに、これら上述の表示装置において、前記第１遮光板は、前記第１の照明用光源を囲む筒状をなすことを特徴とする。
【００２６】
このような構成によれば、第１の照明用光源からの光の漏れの防止をその全周にわたって確実にすることができる。
【発明の効果】
【００２７】
本発明によれば、パネルの構造の複合化を要することなく、当該パネルを利用して照明用光源からの光が基板に沿って横方向に拡がることを解消することができる。
【図面の簡単な説明】
【００２８】
【図１】本発明に係る表示装置の実施の形態１の正面図である。
【図２】（ａ）は図１のＩＩ−ＩＩ線断面図、（ｂ）は（ａ）の要部を拡大した図である。
【図３】図１のＩＩＩ−ＩＩＩ線断面図である。
【図４】本発明に係る表示装置の実施の形態１の変形例の正面図である。
【図５】図４のＶ−Ｖ線断面図である。
【図６】図４のＶＩ−ＶＩ線断面図である。
【図７】（ａ）は本発明に係る表示装置の実施の形態２の断面図、（ｂ）は（ａ）の要部を拡大した図である。
【図８】（ａ）は本発明に係る表示装置の実施の形態３の断面図、（ｂ）は（ａ）の要部を拡大した図である。
【図９】従来の表示装置の断面図である。
【発明を実施するための形態】
【００２９】
以下、本発明にかかる実施の形態を、図面を参照しながら説明する。なお、各図において同一の符号を付した構成は、同一の構成であることを示し、その説明を省略する。
【００３０】
＜実施の形態１＞
図１は、本発明に係る表示装置の実施の形態１の正面図である。図２（ａ）は、図１のＩＩ−ＩＩ線断面図、（ｂ）は（ａ）の要部を拡大した図である。図３は、図１のＩＩＩ−ＩＩＩ線断面図である。
【００３１】
図１に示す表示装置は、例えば、自動車のインストゥルメントパネルに組み込まれる電子機器に設けられるものであり、押圧操作部材１と、回路基板２と、パネル３とを備える。
【００３２】
前記パネル３は、内側パネル材３Ａと、その外側に配置される外側パネル材３Ｂとを備える。これらのパネル材３Ａ，３Ｂは遮光性を有し、そのうち外側パネル材３Ｂが本発明にいう「パネル本体」を構成する。この外側パネル材３Ｂの表面は、例えば自動車の車室内に臨む表示面３５を構成する。なお、本発明に係る「パネル」はその全体が単一の部材により一体に形成されたものでもよい。
【００３３】
前記回路基板２は、前記表示面３５と反対の側すなわち前記パネル３の裏側に配置される。この回路基板２の表側面（パネル３側を向く面）上の適所には、図２および図３に示すようなスイッチ２５並びに第１光源（第１の照明用光源）２１及び第２光源（第２の照明用光源）２２が実装されている。
【００３４】
前記スイッチ２５は、前記押圧操作部材１を介して前記パネル３の表側から押圧操作を受けることが可能であり、その押圧操作によって切換作動する。具体的に、このスイッチ２５は、前記パネル３側を向く被押圧面２５ａを有し、この被押圧面２５ａがパネル３の表側から回路基板２に向かって押圧操作されることにより、当該スイッチ２５に割り当てられた回路のオンオフを行うとともに、前記第１光源２１または前記第２光源２２の点灯／消灯の切換を行う。
【００３５】
前記第１光源２１および前記第２光源２２は、後述のように前記押圧操作部材１に含まれる第１の照明対象体及び第２の照明対象体をそれぞれ個別に裏側から照明するためのものである。この実施の形態では、図２（ｂ）及び図３（ｂ）に示すように、前記第１光源２１及び前記第２光源２２は、それぞれ、ＬＥＤ等からなって前記回路基板２上に実装される光源本体２１ａ，２２ａと、各光源本体２１ａ，２２ａの発光面上に被着されるキャップ２１ｂ，２２ｂとを有する。これらのキャップ２１ｂ，２２ｂは例えば着色されたラバーからなり、前記光源本体２１ａ，２２ａの発する光に色を与える。
【００３６】
なお、本発明において各照明用光源の種類や具体的構造は特に限定されない。少なくとも第１の照明用光源からの光が回路基板の表面側に入射する可能性があるものについて広く本発明の適用が可能である。
【００３７】
前記押圧操作部材１は、パネル３の表側から指等による押圧操作を受け、かつ、その押圧操作方向に移動することで当該押圧操作の力を前記スイッチ２５の被押圧面２５ａに伝達するものである。この実施の形態では、当該押圧操作部材１は、前記第１の照明対象体に相当する透光部１１ｄを含む押圧操作部材本体１１と、前記第２の照明対象体に相当するインジケータレンズ１２とを有する。
【００３８】
前記押圧操作部材本体１１は、前記回路基板２と略平行な操作面１５を有する被押圧壁１１ａと、この被押圧壁１１ａの周縁から前記回路基板２に向かって延びる側壁１１ｂとを一体に有し、前記操作面１５が受ける押圧操作の方向に移動可能となるように前記パネル３に保持される。具体的には前記外側パネル材３Ｂに開口部を囲む枠３６が形成され、この枠３６の内側に前記押圧操作部材１が嵌め込まれる。そして、この押圧操作部材１の前記押圧操作の方向の移動に伴って前記側壁１１ｂの特定の部位が前記スイッチ２５の被押圧面２５ａを押圧するように、当該押圧操作部材１及び当該スイッチ２５の配設位置が設定されている。
【００３９】
図１および図２（ａ）に示すように、前記押圧操作部材本体１１と前記枠３６との間には、適当な寸法の隙間３６ａが確保される。この隙間３６ａの寸法は、前記押圧操作部材本体１１が前記操作面１５が受ける押圧操作の方向に移動可能で、かつ、枠３６と前記押圧操作部材本体１１とが互いに突き当たらないように設定されている。
【００４０】
前記第１の照明対象体に相当する透光部１１ｄは、前記被押圧壁１１ａに設けられている。具体的に、この被押圧壁１１ａのうち表示すべき文字や図形を形成する特定の部位（この実施の形態では文字「ＡＵＴＯ」の形状をなす部位）にのみ局所的に透光性が与えられており、この部位が前記第１の照明対象体である透光部１１ｄを構成する。具体的に、前記押圧操作部材本体１１は、透光性を有する樹脂により成型された基材と、この基材のうち前記被押圧壁１１ａに相当する部分の表面に施された遮光性を有する塗装膜とを有し、この塗装膜のうち前記文字「ＡＵＴＯ」の形状をなす部位が局所的に除去されることにより、前記第１の照明対象体が形成されている。この第１の照明対象体の位置は、前記第１光源２１から発せられる光により裏側から照明される位置に設定されている。
【００４１】
なお、本発明において、前記照明対象体の具体的構造および配設位置は上記に限定されない。例えば、前記第１の照明対象体及び前記第２の照明対象体は、共通の押圧操作部材に組み込まれていなくてもよく、それぞれ独立して前記表示面３５上の適当な位置に配列されてもよい。さらに、前記照明対象体は、透光部１１ｄやインジケータレンズ１２に限られず、例えば、単なる透明板で構成されてもよい。
【００４２】
前記インジケータレンズ１２は、前記押圧操作の方向と平行な方向に延び、同方向に前記押圧操作部材本体１１を貫くように当該押圧操作部材本体１１に組み付けられる。このインジケータレンズ１２は、例えばアクリル樹脂のように導光性を有する材料により構成され、前記第２光源２２が発する光を前記操作面１５側に導く機能を有する。
【００４３】
この装置の特徴として、前記パネル３を構成する内側パネル材３Ａは、図２（ａ）、（ｂ）及び図３（ａ）、（ｂ）に示すような第１遮光壁３１及び第２遮光壁３２を一体に含む。これらの遮光壁３１，３２は、前記第１光源２１から発せられた光が外側に漏れ出るのを防ぐためのものである。
【００４４】
前記第１遮光壁３１は、パネル本体を構成する内側パネル材３Ａの裏側で回路基板２に対して略直交する姿勢で、当該回路基板２上の第１遮光壁３１と第２光源２２との間に介在する。この第１遮光壁３１は、前記回路基板２の表面に対して対向する第１端面３１ａを有する。この実施の形態では、前記第１遮光壁３１は前記第１光源２１を全周にわたって囲む筒状（図では四角筒状）をなす。
【００４５】
図２（ｂ）に示すように、この第１端面３１ａと前記回路基板２の表面との間には、適当な寸法の隙間２３が確保される。この隙間２３の寸法は、前記回路基板２が前記パネル３に組み付けられる際の両者の相対位置のばらつきを考慮して、当該ばらつきにかかわらず両者が互いに突き当たらないように設定されている。
【００４６】
前記第２遮光壁３２は、前記第１遮光壁３１の前記第１の光源２１と対向する側と反対側に、前記第１遮光壁３１と間隙をおいて配置される。従って、この第２遮光壁３２の特定の部位は前記第１遮光壁３１と第２光源２２との間に介在する。この第２遮光壁３２は、前記第１遮光壁３１をその外側から全周にわたり囲む筒状（図では四角筒状）をなす。この第２遮光壁３２も、前記第１遮光壁３１と同様に、回路基板２の表面に対して所定の隙間をおいて対向する第２端面３２ａを有する。さらに、この実施の形態に係る第２遮光壁３２は、中空の押圧操作部材１における側壁１１ｂのすぐ内側に位置する形状を有し、当該側壁１１ｂを前記押圧操作方向に案内する案内壁としても機能する。具体的には、前記第２遮光壁３２の外側面にはツメ５０が設けられると共に、前記ツメ５０に対応する前記側壁１１ｂの所定位置に、前記押圧操作方向に適当な寸法を有するツメ孔５１が設けられる。前記ツメ５０が前記ツメ孔５１に内側から嵌めこまれることで、前記側壁１１ｂは、前記第２遮光壁３２によって前記ツメ孔５１の寸法分だけ前記押圧操作方向に移動可能となるように保持される。このように、前記第２遮光壁３２が前記側壁１１ｂを前記押圧操作方向に案内する案内壁としても機能することは、装置全体の構造のさらなる簡素化に寄与する。
【００４７】
次に、この実施の形態１に係る第１遮光壁３１および第２遮光壁３２の作用について説明する。
【００４８】
前記第１遮光壁３１は、基本的に、第１光源２１から発せられる光の透過を阻むことにより、該光が第１光源２１の周囲に漏れることを防ぐ。さらに、前記第１遮光壁３１は、前記第１光源２１と前記第２光源２２との間に介在するため、第１光源２１から発せられる光が第２光源２２側に漏れて当該第２光源２２からの光と交錯することを防ぐ。ただし、この第１光源２１の第１端面３１ａと回路基板２の表面との間には隙間２３が存在するため、当該第１光源２１からの光のうち前記隙間２３内またはその近傍領域で前記回路基板２の表面に入射した光は、当該表面で反射して第１遮光壁３１の外側に漏れ出る可能性がある。
【００４９】
しかしながら、この表示装置では、前記隙間２３を通じて漏れ出る光があっても、前記第１遮光壁３１のさらに外側に存在するようにパネル３に形成された第２遮光壁３２が当該光を遮ることにより（図２（ｂ）参照）、当該光が当該第２遮光壁３２の外側に漏れ出すことを防止する。このように、この表示装置では、前記第１光源２１からの光が基板に沿って横方向に拡がることを解消することができる。したがって、第１光源２１からの光が隙間３６ａから表示装置の外側に漏れることや、第１光源２１からの光がインジケータレンズ１２に影響を与えること（例えば、第１光源２１からの光が第２光源２２からの光に干渉することなど）を有効に抑制することができる。
【００５０】
このように、この実施の形態に係る装置では、第１遮光壁３１と回路基板２の表面との間に隙間２３が介在してこの隙間２３から第１光源２１側の光が漏れ出る可能性のあることを前提とし、その漏れ出た光を遮る第２遮光壁３２が前記第１遮光壁３１とともに同じパネル３に設けられるものであるため、前記隙間２３を塞ぐ必要はなく、従って、この隙間２３をなくすために回路基板２に対して圧接するように弾性変形可能な部材をパネル３側に追加的に設ける必要がない。従って、この装置では、パネル３にその母材とは別の弾性材を付加することなく、第１光源２１からの光が表示装置の外側に漏れ出ることや、第２光源２２側の光に干渉することを有効に抑止することができる。
【００５１】
なお、両遮光壁３１，３２は必ずしも筒状でなくてもよく、少なくとも漏れ防止が求められる方向について設けられていればよい。例えば、この実施の形態では、第１光源２１と第２光源２２との間に介在するものであればよい。ただし、前記のように第１遮光壁３１が第１光源２１を囲む筒状をなし、第２遮光壁３２が第１光源２１を囲む筒状をなすものであれば、第１光源２１からの光の漏れの防止をその全周にわたって確実にすることができる利点がある。
【００５２】
ただし、本発明は、複数の光源および複数の照明対象体を具備するものに限られない。例えば、図４〜６のように、インジケータレンズ１２が存在しないものでも、第１遮光壁３１および第２遮光壁３２の存在によって、光の横漏れ防止を可能とすることで、他の部位に与える影響、例えば、隙間３６ａからの装置外側への光の漏れを防止できる。
【００５３】
＜実施の形態２＞
図７は、本発明に係る表示装置の実施の形態２の断面図である。
【００５４】
実施の形態２における表示装置も、図７に示すように、押圧操作部材１と、回路基板２と、パネル本体３とを備える。この実施の形態２が前記実施の形態１と異なる点は次のとおりである。
【００５５】
ａ）第１光源２１により照明される第１の照明対象体は、実施の形態１と同じく押圧操作部材１に設けられるが、第２光源２２により照明される第２の照明対象体は、前記押圧操作部材１から離れた別の図略の位置に設けられている。
【００５６】
ｂ）パネル３は、前記第１遮光壁３１及び前記第２遮光壁３２に加えて第３遮光壁３３をさらに有する。
【００５７】
この第３遮光壁３３は、第１遮光壁３１と第２遮光壁３２との間隙をパネル本体３側（図７（ａ）、（ｂ）では上側）から塞ぐことにより、当該間隙から当該パネル本体３側に第１光源２１からの光が漏れるのを阻止する。具体的に、前記実施の形態１において前記第１遮光壁３１の第１端面３１ａと回路基板２の表面との隙間２３を通じて漏れ出た光は、第２遮光壁３２の内側面で反射されるが、この反射を繰り返して両遮光壁３１，３２同士の間隙からパネル本体側に抜け出る可能性がないとはいえない。これに対し、実施の形態２に係る装置は、第１遮光壁３１と第２遮光壁３２との間隙をパネル本体３側から塞ぐ第３遮光壁３３を有するので、第１光源２１からの光が前記間隙内で両遮光壁３１，３２間での反射を繰り返したとしても、図７（ｂ）に示すように、当該光がパネル本体側に抜け出ることを前記第３遮光壁３３によって防ぐことができる。従って、第１光源２１からの光が、表示装置の外側に漏れることや、第２光源２２側の光に干渉することがより有効に抑止される。
【００５８】
なお、この第３遮光壁３３による効果が、前記実施の形態１のように共通の押圧操作部材１に第１の照明対象体及び第２の照明対象体の双方が組み込まれるものにおいても有効に得られることは、いうまでもない。
【００５９】
さらに、この第３遮光壁３３による効果が、複数の光源および複数の照明対象体を具備するものに限られないことは、いうまでもない。
【００６０】
＜実施の形態３＞
図８は、本発明に係る表示装置の実施の形態３の断面図である。
【００６１】
実施の形態３における表示装置も、前記実施の形態２に係る装置と同様、押圧操作部材１と、回路基板２と、パネル３とを備える。しかし、パネル３は、前記実施の形態２における第１遮光壁３１と第２遮光壁３２と第３遮光壁３３とに代えて、第１遮光板３４１及び第２遮光板３４２を遮光壁３４を有する点で、実施の形態３は実施の形態２とは異なる。遮光壁３４は、第１遮光板３４１と第２遮光板３４２とを有する。
【００６２】
前記第１遮光板３４１は、パネル３におけるパネル本体３０の裏側で回路基板２上の第１光源２１と第２光源２２との間に介在し、パネル本体３０側から回路基板２に対して略直交する方向に回路基板２の表面の手前側の位置まで延びる。
【００６３】
前記第２遮光板３４２は、第１遮光板３４１の端部（回路基板２側の端部）から回路基板２の表面と略平行な方向に延び、図７（ｂ）に示すように、この回路基板２の表面との間に隙間２３′を形成する。この隙間２３′は、当該回路基板２の表面に沿って広がるものであるため、この隙間２３′内に前記第１光源２１からの光が入射したとしても、この光は、当該隙間２３′内で回路基板２の表面と第２遮光板３４２との間で繰返し乱反射することにより、吸収される。従って、この実施の形態３では、単一の遮光壁３４のみによっても、前記隙間２３′の存在にかかわらずこの隙間２３′を通じて第１光源２１からの光が漏れることを防止できるので、第１光源２１からの光が表示装置の外側に漏れることや、第２光源２２側に漏れ出すのを有効に抑止することができる。
【００６４】
この実施の形態３において、前記遮光壁３４は、前記押圧操作部材１を押圧操作方向に案内する案内壁として兼用されるものであってもよい。このような構成によれば、装置全体の構造のさらなる簡素化に寄与する。
【００６５】
さらに、他の実施の形態において、第１遮光板３４１は第１光源２１を囲む筒状をなしていてもよい。このような構成によれば、第１光源２１からの光の漏れの防止をその全周にわたって確実にすることができる。
【００６６】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【符号の説明】
【００６７】
１  押圧操作部材
１１  押圧操作部材本体
１１ｄ  透光部（第１の照明対称体）
１２  インジケータレンズ（第２の照明対象体）
２  回路基板
２１  第１光源（第１の照明用光源）
２２  第２光源（第２の照明用光源）
２３，２３′  隙間
３  パネル本体
３１  第１遮光壁
３１ａ  第１端面
３２  第２遮光壁
３２ａ  第２端面
３３  第３遮光壁
３４  遮光壁
３４１  第１遮光板
３４２  第２遮光板
３５  表示面
３６ａ  隙間
５０  ツメ
５１  ツメ孔
【図１】
2011090115.tif 000003
【図２】
2011090115.tif 000004
【図３】
2011090115.tif 000005
【図４】
2011090115.tif 000006
【図５】
2011090115.tif 000007
【図６】
2011090115.tif 000008
【図７】
2011090115.tif 000009
【図８】
2011090115.tif 000010
【図９】
2011090115.tif 000011